(57)【要約】【課題】光ディスクからの反射光束の光スポットと、この光スポットを受光する光検出器との相対的な位置調整を、容易、かつ、高精度に行えるようにする。【解決手段】光ディスクＤからの反射光束を受光する光検出器１１において、ホログラム素子１０を経た±１次回折光を受光する少なくとも２つの位置検出セグメント１１８、１１９を設け、この位置検出セグメント１１８、１１９は、±１次回折光のスポット径と略同一径の面積を有し、この位置検出セグメント１１８、１１９からの光検出出力に基づいて、光検出器１１の位置調整を行う。【選択図】      図３
2006059452.tif 000002
【特許請求の範囲】
【請求項１】
光源から出射されたレーザ光束を３本の光束に分離させる回折格子と、光ディスクの記録トラックに平行な方向に３分割された回折領域を有し、これらの回折領域で、前記光ディスクの情報記録面で反射された前記３本の光束を回折分離させるホログラム素子と、
前記ホログラム素子で回折分離された３本の光束を受光する複数の検出セグメントを有する光検出器と、を備えた光ピックアップ装置において、
前記ホログラム素子の３分割された回折領域は、前記光ディスクの情報記録面で反射された前記３本の光束のうちの中央の光束を±１次回折光に分離する第１回折領域と、前記中央の光束の両側の２つの光束を、前記第１回折領域で分離された±１次回折光とは異なる方向の±１次回折光に分離する２つの第２回折領域と、からなり、
前記光検出器は、前記第１回折領域で分離された前記±１次回折光のスポット径と同一径を有する少なくとも２つの位置検出セグメントと、前記２つの第２回折領域で分離された±１次回折光を受光する複数の検出セグメントと、を備えていることを特徴とする光ピックアップ装置。
【発明の詳細な説明】
【技術分野】
【０００１】
本発明は、光ディスクに対する情報の記録、または、再生を行う光ピックアップ装置に関する。
【背景技術】
【０００２】
従来、光学的に情報の記録、または、再生が行われる情報記録媒体として、「ＣＤ（Compact disc）」や「ＤＶＤ（Digital Versatile Disc）」等の光ディスクが知られている。また、再生専用の光ディスクや、情報を追記録することが可能な追記型光ディスク、情報の消去及び再記録が可能な書き換え型光ディスク等、種々の光ディスクが提案されている。
【０００３】
そして、このような光ディスクにおいては、情報記録の高密度化と、高密度化に対応する光ピックアップ装置及び情報記録再生装置の開発が進められるとともに、種類の異なる光ディスクを利用することが可能な、いわゆる互換性を有する光ピックアップ装置及び情報記録再生装置の開発が進められている。
【０００４】
例えば、特許文献１に記載されている光ピックアップ装置は、図４に示すように、光源となる半導体レーザ素子１０１を備え、この半導体レーザ素子１０１から発せられたレーザ光束ＬＡを、対物レンズ１０５により光ディスクＤの情報記録面上に集光させるとともに、この情報記録面からの反射光束を検出するように構成されている。
【０００５】
すなわち、この光ピックアップ装置においては、半導体レーザ素子１０１から出射されたレーザ光束ＬＡは、コリメータレンズ１０２により平行光束となされ、偏光ビームスプリッタ１０３（もしくは、ハーフミラー）を透過する。そして、このレーザ光束は、立ち上げミラー１０４を経て、対物レンズ１０５により、光ディスクＤの情報記録面上に集光され、この情報記録面上に光スポットを形成する。
【０００６】
そして、光ディスクＤの情報記録面により反射された反射光束は、対物レンズ１０５に戻り、略平行光束となされて、偏光ビームスプリッタ１０３に入射する。この偏光ビームスプリッタ１０３において、情報記録面からの反射光束は、偏光分離膜により反射され、集光レンズ１０６及びシリンドリカルレンズ１０７からなる検出光学系１０８へと導かれる。この検出光学系１０８を経た反射光束は、光検出器１０９によって受光される。そして、この光検出器１０９からの光検出出力に基づいて、光ディスクＤに記録された信号が検出される。
【０００７】
この光ピックアップ装置における検出光学系１０８は、フォーカスエラー信号の検出を非点収差法により、トラッキングエラー信号の検出をプッシュプル法によって行うように構成されている。すなわち、偏光ビームスプリッタ１０３において反射された反射光束は、検出光学系１０８の集光レンズ１０６により収束光束となされるとともに、シリンドリカルレンズ１０７により非点収差を発生されて、光検出器１０９の受光面上に光スポットを形成する。この光検出器１０９の受光面は、中心から放射状に４分割され、４つの検出セグメントとなっている。
【０００８】
非点収差法は、シリンドリカルレンズ１０７により発生される非点収差を利用したフォーカス検出法である。すなわち、光ディスクＤ上の光スポットが情報記録面に対して合焦状態にあるとき、光検出器１０９上の光スポットは、円形になる。そして、光ディスクＤと対物レンズ１０５との間の距離が変化し、光ディスクＤ上の光スポットが情報記録面に対する合焦状態からデフォーカスするにつれて、光検出器１０９上の光スポットは、楕円に変化する。このような光検出器１０９上の光スポットの形状の変化を、４つの検出セグメントからの光検出出力に基づいて検出することにより、フォーカスエラー信号が得られる。
【０００９】
一方、プッシュプル法は、光ディスク上の光スポットが記録トラックを横切る方向（トラッキング方向）に移動したときに光検出器１０９上の光スポットも対応する方向に移動することを利用したトラッキング検出法である。すなわち、光ディスク上の光スポットがトラッキング方向に移動したとき、光検出器１０９において記録トラック方向に対峙する二組の検出セグメントからの光検出出力には差が生ずるので、このような光検出出力の差に基づいて、トラッキングエラー信号が得られる。
【００１０】
なお、プッシュプル法においては、対物レンズ１０５のトラッキング方向へのレンズシフトによって、得られるトラッキングエラー信号にオフセットが発生するという問題がある。そのため、「ＤＶＤ（Digital Versatile Disc）」用の光ピックアップ装置においては、ＤＰＤ法（位相差検出法）というトラッキング検出法が用いられている。このＤＰＤ法は、光ディスクのピットによって生ずる反射光束の強度変化の位相を利用するトラッキング検出法であり、光検出器１０９の各検出セグメントから得られるそれぞれの光検出出力に基づく演算をすることにより、トラッキングエラー信号を生成するものである。
【００１１】
また、図５に示すように、ホログラムを利用した光ピックアップ装置が提案されている。この光ピックアップ装置においては、光源となる半導体レーザ素子と反射光束を検出するための光検出器とを一つのパッケージに収めるとともに、このパッケージにホログラム素子１１０を貼り付けることにより、ホログラムデバイス１１１が構成されている。この光ピックアップ装置においては、ホログラム素子１１０を利用して、フォーカスエラー信号やトラッキングエラー信号が検出される。
【００１２】
この光ピックアップ装置においては、ホログラムデバイス１１１内の半導体レーザ素子から出射されたレーザ光束は、ホログラム素子１１０に入射し、このホログラム素子１１０における０次回折光が、コリメータレンズ１０２、立ち上げミラー１０４及び対物レンズ１０５を経て、光ディスクＤの情報記録面上に光スポットを形成する。
【００１３】
光ディスクＤの情報記録面により反射された反射光束は、対物レンズ１０５、立ち上げミラー１０４及びコリメータレンズ１０２を経て、収束光束となって、ホログラム素子１１０に入射する。このとき、このホログラム素子１１０において回折された＋１次回折光、または、−１次回折光を利用して、フォーカスエラー信号やトラッキングエラー信号の検出を行う。
【００１４】
そして、この光ピックアップ装置におけるホログラム素子１１０は、図６に示すように、中心を通ってこのホログラム素子１１０を２等分する第１分割線１１０ａと、この第１分割線１１０ａの中央においてこの第１分割線１１０ａに直交する第２分割線１１０ｂとにより、第１乃至第３の領域１１０ｃ，１１０ｄ，１１０ｅに分割されている。第１の領域１１０ｃは、ホログラム素子１１０の１／２を占める領域である。そして、第２及び第３の領域１１０ｄ，１１０ｅは、それぞれホログラム素子１１０の１／４を占める領域である。これら３つの領域１１０ｃ，１１０ｄ，１１０ｅは、それぞれが特性の異なる回折面となっている。
【００１５】
この光ピックアップ装置においては、ホログラム素子１１０の各領域における反射光束の＋１次回折光を利用して、例えば、ナイフエッジ法によりフォーカス検出を行い、ＤＰＤ法によりトラッキング検出を行うことができる。この場合、光検出器は、図７に示すように、４つの検出セグメントＡ，Ｂ，Ｃ，Ｄを有している。第１の領域１１０ｃにおける＋１次回折光は、中心側の２つの検出セグメントＡ，Ｂの境界線上に集光される。そして、第２の領域１１０ｄにおける＋１次回折光は、一方側の検出セグメントＣ上に集光される。また、第３の領域１１０ｅにおける＋１回折光は、他方側の検出セグメントＤ上に集光される。
【００１６】
これら検出セグメントＡ，Ｂ，Ｃ，Ｄからの光検出出力Ａ，Ｂ，Ｃ，Ｄに基づいて、フォーカスエラー信号（ＦＥ）及びトラッキングエラー信号（ＴＥ）は、以下のようにして得ることができる。
【００１７】
ＦＥ＝Ａ−Ｂ
ＴＥ＝phaseＣ−phaseＤ
なお、ここで、「phase」とは、その信号の位相を表している。
【００１８】
また、この光ピックアップ装置におけるホログラム素子１１０は、図８に示すように、中心を通ってこのホログラム素子１１０を２等分する第１分割線１１０ａと、この第１分割線１１０ａの中央においてこの第１分割線１１０ａに直交する第２分割線１１０ｂとにより、第１乃至第４の領域１１０ｃ，１１０ｄ，１１０ｅ，１１０ｆに分割するようにしてもよい。第１乃至第４の領域１１０ｃ，１１０ｄ，１１０ｅ，１１０ｆは、それぞれホログラム素子１１０の１／４を占める領域である。
【００１９】
この場合には、ホログラム素子１１０において回折される＋１次回折光及び−１次回折光を利用して、光スポットサイズ法（ＳＳＤ法）により、フォーカス検出を行うことができる。光検出器としては、図９に示すように、それぞれが並行に３分割された４群の検出セグメントを有するものを用いる。すなわち、この光検出器は、１２個の検出セグメントＡ１，Ｂ１，Ｃ１、Ａ２，Ｂ２，Ｃ２、Ａ３，Ｂ３，Ｃ３、Ａ４，Ｂ４，Ｃ４を有している。
【００２０】
これら検出セグメントＡ１，Ｂ１，Ｃ１、Ａ２，Ｂ２，Ｃ２、Ａ３，Ｂ３，Ｃ３、Ａ４，Ｂ４，Ｃ４からの光検出出力Ａ１，Ｂ１，Ｃ１、Ａ２，Ｂ２，Ｃ２、Ａ３，Ｂ３，Ｃ３、Ａ４，Ｂ４，Ｃ４に基づいて、フォーカスエラー信号（ＦＥ）及びトラッキングエラー信号（ＴＥ）は、以下のようにして得ることができる。
【００２１】
ＦＥ＝（Ａ１＋Ｃ１＋Ａ２＋Ｃ２＋Ａ３＋Ｃ３＋Ａ４＋Ｃ４）−（Ｂ１＋Ｂ２＋Ｂ３＋Ｂ４）
ＴＥ＝phase（Ａ１＋Ｂ１＋Ｃ１＋Ａ４＋Ｂ４＋Ｃ４）−phase（Ａ２＋Ｂ２＋Ｃ２＋Ａ３＋Ｂ３＋Ｃ３）
さらに、例えば、いわゆる「ＤＶＤ−Ｒ」、「ＤＶＤ−ＲＷ」、「ＤＶＤ−ＲＡＭ」など、情報信号の記録が可能な光ディスクにおいては、情報信号の未記録時においては、光ディスク上にビット列が存在しない。そのため、このような情報信号の記録が可能な光ディスク用の光ピックアップ装置においては、ビットの位相を検出する方法であるＤＰＤ法によるトラッキング検出を行うことができない。
【００２２】
そこで、このような光ピックアップ装置においては、ビット列がなくてもトラッキングエラー信号の検出が可能であり、レンズシフトによるオフセットの問題が改善された差動プッシュプル法（ＤＰＰ法）が用いられている。
【００２３】
このＤＰＰ法においては、いわゆる「３ビーム法」と同様に、回折格子を用いて、光源から発せられたレーザ光束をメインピーム及び一対のサブビームに分割して、光ディスクに照射する。各サブビームは、情報信号を読み取るためのメインビームに対し、記録トラックを横切る方向に僅かにずれた位置において、光ディスク上に照射される。
【００２４】
「３ビーム法」においては、これらサブビームがメインビームに対して１／４トラックピッチだけずれた位置に照射され、これらサブビームの反射光束の強度差に基づいて、トラッキングエラー信号が検出される。差動プッシュプル法においては、各サブビームは、メインビームに対して１／２トラックピッチだけずれた位置に照射される。
【００２５】
差動プッシュプル法を行う光ピックアップ装置においては、各サブピームの反射光束を検出する光検出器は、図１０に示すように、それぞれにおいてプッシュプル信号が検出できるように、それぞれが２つの検出セグメントＥ１，Ｅ２、Ｆ１，Ｆ２に分割されている。また、メインピームの反射光束を検出する光検出器は、中心から放射状に４つの検出セグメントＡ，Ｂ、Ｃ，Ｄに分割されている。
【００２６】
この光ピックアップ装置においては、メインビームの反射光束によるプッシュプル信号と、各サブビームの反射光束によるプッシュプル信号との差動を求めることにより、対物レンズのレンズシフトによるプッシュプル信号のオフセットがキャンセルされるようになっている。すなわち、この光ピックアップ装置においては、各検出セグメントＡ，Ｂ，Ｃ，Ｄ、Ｅ１，Ｅ２、Ｆ１，Ｆ２からの光検出出力Ａ，Ｂ，Ｃ，Ｄ、Ｅ１，Ｅ２、Ｆ１，Ｆ２に基づいて、トラッキングエラー信号（ＴＥ）は以下のようにして得られる。
【００２７】
ＴＥ＝｛（Ａ＋Ｄ）−（Ｂ＋Ｃ）｝−Ｇ｛（Ｅ１−Ｅ２）＋（Ｆ１−Ｆ２）｝
ここで、Ｇは、ゲインを示しており、光ディスクに照射される光束の回折格子における分割光量比に応じた調整をするためのものであり、回折格子の溝深さによって決まる。
【特許文献１】特開昭６２−２６４４５２号公報
【発明の開示】
【発明が解決しようとする課題】
【００２８】
前述のように、光ディスク用の光ピックアップ装置における信号検出法には、さまざまな方式がある。しかし、いずれの方式を採用したとしても、光ピックアップ装置を構成する各光学素子は、所定の精度により、予め組み立てられ、調整されている必要がある。
【００２９】
そして、従来の光ピックアップ装置において、光検出器の位置の調整は、光検出器の各検出セグメントからの光検出出力を観察しながら、この光検出出力に基づいて行なわれている。
【００３０】
ところが、この光ピックアップ装置において、反射光束を受光する検出セグメントは、この検出セグメントにより受光される光スポットがこの検出セグメントに対して多少位置ずれしても検出セグメントから外れないようにするために、受光する光スポットよりも大きい面積としておく必要がある。
【００３１】
したがって、検出セグメントからの光検出出力に基づく調整によっては、また、検出セグメント及び光スポットの重なり合いの状態を顕微鏡により観察する方法によっても、これら検出セグメントと光スポットとの相対的な位置調整を十分な精度を確保して行うことは困難である。
【００３２】
そこで、本発明は、前述の課題に鑑みて提案されるものであって、本発明の目的は、光ディスクの情報記録面からの反射光束が形成する光スポットと、光検出器の検出セグメントとの相対的な位置調整が容易、かつ、高精度に行える光ピックアップ装置を提供することにある。
【課題を解決するための手段】
【００３３】
本発明は、光源から出射されたレーザ光束を３本の光束に分離させる回折格子と、光ディスクの記録トラックに平行な方向に３分割された回折領域を有し、これらの回折領域で、前記光ディスクの情報記録面で反射された前記３本の光束を回折分離させるホログラム素子と、前記ホログラム素子で回折分離された３本の光束を受光する複数の検出セグメントを有する光検出器と、を備える光ピックアップ装置において、前記ホログラム素子の３分割された回折領域は、前記光ディスクの情報記録面で反射された前記３本の光束のうちの中央の光束を±１次回折光に分離する第１回折領域と、前記中央の光束の両側の２つの光束を、前記第１回折領域で分離された±１次回折光とは異なる方向の±１次回折光に分離する２つの第２回折領域と、からなり、前記光検出器は、前記第１回折領域で分離された±１次回折光を受光し、前記±１次回折光のスポット径と同一径を有する少なくとも２つの位置検出セグメントと、前記２つの第２回折領域で分離された±１次回折光を受光する複数の検出セグメントと、を備えていることを特徴とする光ピックアップ装置を提供する。
【発明の効果】
【００３４】
本発明は、光ディスクの情報記録面からの反射光束が形成する光スポットと、光検出器の検出セグメントとの相対位置調整が容易、かつ、確実に行える光ピックアップ装置を提供することができるものである。
【発明を実施するための最良の形態】
【００３５】
以下、本発明に係る光ピックアップ装置の実施の形態について、図面を参照して詳細に説明する。
【００３６】
図１は、本発明に係る光ピックアップ装置の構成を示す側面図である。
【００３７】
この光ピックアップ装置は、図１に示すように、光源となる半導体レーザ１を備えている。この半導体レーザ１より発せられるレーザ光束ＬＡは、直線偏光束であるとともに、拡散光束であり、ビーム断面形状が楕円形となっている。
【００３８】
半導体レーザ１より発せられたレーザ光束ＬＡは、コリメータレンズ２によって平行光束となされ、回折格子（グレーティング）３に入射される。レーザ光束ＬＡは、回折格子３を経ることにより、３本以上の光束に分割される。この回折格子３において分割された光束は、０次光（メインビーム）が光ディスクに対する情報信号の記録または再生を行うための光束となり、±１次光（サブビーム）がトラッキングエラー信号等の種々のエラー信号を検出するための光束となる。
【００３９】
これら３本の光束となされたレーザ光束ＬＡは、整形プリズム４を経て、偏光ビームスプリッタ５に入射される。整形プリズム４は、レーザ光束ＬＡのビーム断面形状を円形にするものである。
【００４０】
偏光ビームスプリッタ５に入射されたレーザ光束ＬＡは、偏光反射面５ａに対してＰ偏光となされており、この偏光反射面５ａを透過する。偏光反射面５ａを透過したレーザ光束ＬＡは、偏光ビームスプリッタ５より出射されて、立ち上げミラー６によって反射され、四分の一波長（λ／４）板７に入射する。この四分の一波長（λ／４）板７は、直線偏光であるレーザ光束ＬＡを円偏光に変換して、対物レンズ８に入射させる。この対物レンズ８は、入射された光束を、光ディスクＤのディスク基板を透して、この光ディスクＤの情報記録面上に集光して照射する。すなわち、この光ディスクＤにおいて、ディスク基板は、情報記録面のカバー層となっている。
【００４１】
図２は、光ディスクの情報記録面上の光スポットの配列状態を示す平面図である。
光ディスクＤの情報記録面上においては、図２に示すように、３本に分割されたレーザ光束ＬＡが、３つの光スポットＳＰ１，ＳＰ２，ＳＰ３を形成する。これら光スポットＳＰ１，ＳＰ２，ＳＰ３は、略々記録トラックＴＲの方向に沿って配置されている。メインビームによる中央の光スポットＳＰ１に対して前後に位置するサブピームによる光スポットＳＰ２，ＳＰ３は、中央の光スポットＳＰ１に対して、記録トラックＴＲのトラックピッチの１／２だけずれた位置に形成される。サブピームによる光スポットＳＰ２，ＳＰ３のメインビームによる光スポットＳＰ１に対する位置は、回折格子３の光軸回りの角度を調整することによって調整されている。
【００４２】
なお、対物レンズ８は、光ディスクＤの情報記録面上の記録トラックに追従されるため、図示しないアクチュエータによって支持されており、このアクチュエータにより、光軸方向及び光ディスクＤのラジアル方向に移動操作される。
【００４３】
そして、光ディスクＤの情報記録面からの反射光束は、この情報記録面上に記録された情報信号に応じて変調されているとともに、往路光と反対方向の円偏光の光束となっており、対物レンズ８に入射して平行光束となり、四分の一波長（λ／４）板７に入射する。
この四分の一波長（λ／４）板７は、この反射光束を、往路光の偏光方向に直交する方向の直線偏光束として、出射する。
【００４４】
四分の一波長（λ／４）板７を経た反射光束は、立ち上げミラー６によって反射されて偏向され、偏光ビームスプリッタ５に入射する。
【００４５】
偏光ビームスプリッタ５に入射した反射光束は、偏光反射面５ａによって反射されて偏光ビームスプリッタ５より出射され、集光レンズ９によって収束光束となされ、ホログラム素子１０を経て、光検出器１１によって受光される。
【００４６】
図３は、ホログラム素子及び光検出器の構成を示す正面図である。
図３に示すように、ホログラム素子１０は、タンジェンシャル方向（記録トラックＴＲ方向）に中央の分割線１０ａを中心として左右に形成された複数の分割線及びラジアル方向に中央の分割線１０ｂによって分割された短冊状の回折領域Ａ〜Ｅ、ａ〜ｄを有している。回折領域Ｅは、光ディスクＤの情報記録面で反射された３本の光束のうちの中央の光束を±１次回折光に分離する第１回折領域Ｐを形成している。
【００４７】
また、回折領域Ａ、ａ、Ｂ、ｂは、光ディスクＤの情報記録面で反射された３本の光束のうちの中央の光束の両側の一方を、第１回折領域Ｐで分離された±１次回折光とは異なる方向の±１次回折光に分離する第２回折領域Ｑ１を形成し、回折領域Ｃ、ｃ、Ｄ、ｄは、光ディスクＤの情報記録面で反射された３本の光束のうちの中央の光束の両側の他方を、第１回折領域Ｐで分離された±１次回折光とは異なる方向の±１次回折光に分離する第３回折領域Ｑ２を形成している。
【００４８】
このホログラム素子１０に入射する３本の反射光束は、中央の分割線１０ａに対して対角方向に直線的に斜め跨いで回折領域Ａ、ａ、Ｄ、ｄ、Ｅ（或いは回折領域Ｂ、ｂ、Ｃ、ｃ、Ｅ）に入射するので、回折領域Ａ、ａ（或いは回折領域Ｂ、ｂ）において各反射光束から±１次回折光が生じ、回折領域Ｄ、ｄ（或いは回折領域Ｃ、ｃ）においても各反射光束から±１次回折光が生じ、３本の反射光束からは、少なくとも１０本の±１次回折光が生ずることとなる。また、このホログラム素子１０の回折領域Ａ〜Ｅ、ａ〜ｄは、＋１次回折光１０１に対してはマイナスのパワーを有しており、凹レンズとして作用し、−１次回折光１０２に対してはプラスのパワーを有しており、凸レンズとして作用する。
【００４９】
光検出器１１は、複数の受光領域を有して構成されている。各受光領域は、入射された光束を受光し、光検出出力を生成して出力する。
【００５０】
この光検出器１１は、回折領域Ａ〜Ｄ、ａ〜ｄで回折された回折光のうち、ホログラム素子１０の分割線１０ａと同方向にある中心線１２を対称軸として、一方側に配置された＋１次回折光１０１を検出する４分割された受光領域１１１〜１１４と、回折領域Ａ〜Ｄ、ａ〜ｄで回折された回折光のうち、他方側に配置された−１次回折光１０２を検出する中心軸１２に対して直交する方向に３分割された検出セグメント１１５〜１１７と、中心線１２上に所定間隔離間されて配置され、回折領域Ｅで回折された回折光のうち、＋１次回折光１０１を受光する位置検出セグメント１１８、−１次回折光１０２を受光する位置検出セグメント１１９と、から構成されている。
【００５１】
公知の方法により、検出セグメント１１１〜１１７で検出される受光信号を演算して、フォーカスエラー検出、トラッキングエラー検出及び情報再生信号検出を行うことができる。
また、位置検出セグメント１１８、１１９は、その他の検出セグメント１１１〜１１７より小さく、かつ位置検出セグメント１１８、１１９に集光する光スポット径と略同一径を有しており、位置検出セグメント１１８、１１９で検出される受光信号に基づいて、光検出器１１が回転方向にずれた場合にも位置調整を容易、かつ高精度に行うためのものである。具体的には、光検出器１１の位置調整としては、２つの位置検出セグメント１１８、１１９で検出される受光信号出力が極大、かつ等しくなるようにする。
【００５２】
以上のように、ホログラム素子１０は、光ディスクＤの情報記録面で反射された３本の光束のうちの中央の光束を±１次回折光に分離する第1回折領域Ｐと、この中央の光束の両側の２つの光束を、第１回折領域Ｐで分離された±１次回折光とは異なる方向に、±１次回折光に分離する２つの第２回折領域Ｑ１、Ｑ２と、からなり、光検出器１１は、第１回折領域Ｐで分離された±１次回折光のスポット径と同一径を有する位置検出セグメント１１８、１１９と、第２回折領域Ｑ１、Ｑ２で分離された±１次回折光を受光する複数の検出セグメントＡ〜Ｄ、ａ〜ｄとを有するので、光ディスクＤの情報記録面からの反射光束が形成する光スポットと、光検出器１１の検出セグメントとの相対的な位置調整が容易、かつ、高精度に行うことができる。光検出器１１が回転方向にずれた場合にも、位置検出セグメント１１８、１１９で検出される受光信号出力が極大、かつ等しくなるように光検出器１１の位置調整を行うことができるので、回転方向の位置調整が容易に行うことができる。
なお、本発明の実施の形態では、位置検出セグメント１１８、１１９は、２つであるが、複数個でも良い。複数個の検出セグメントにした場合には、光検出器１１の回転方向の位置調整をより精確に行うことができる。
【図面の簡単な説明】
【００５３】
【図１】本発明に係る光ピックアップ装置の構成を示す側面図である。
【図２】前記光ピックアップ装置において、光ディスクの情報記録面上の光スポットの配列状態を示す平面図である。
【図３】前記光ピックアップ装置におけるホログラム素子及び光検出器を示す図である。
【図４】従来の光ピックアップ装置の構成を示す側面図である。
【図５】ホログラム素子を利用した従来の光ピックアップ装置の構成を示す側面図である。
【図６】従来の光ピックアップ装置におけるホログラム素子のパターンを示す正面図である。
【図７】ホログラム素子を利用した従来の光ピックアップ装置における光検出器の受光パターンを示す正面図である。
【図８】従来の光ピックアップ装置におけるホログラム素子のパターン（フォーカス検出に光スポットサイズ法（ＳＳＤ法）を用いた場合）を示す正面図である。
【図９】ホログラム素子を利用した従来の光ピックアップ装置における光検出器の受光パターン（フォーカス検出に光スポットサイズ法（ＳＳＤ法）を用いた場合）を示す正面図である。
【図１０】従来の光ピックアップ装置における光検出器の受光パターン（トラッキング検出にＤＰＰ法を用いた場合）を示す正面図である。
【符号の説明】
【００５４】
１  半導体レーザ
２  コリメータレンズ
３  回折格子
５  偏光ビームスプリッタ
８  対物レンズ
９  集光レンズ
１０  ホログラム素子
１１  光検出器
Ｄ  光ディスク
Ａ〜Ｅ、ａ〜ｅ  回折領域
第１回折領域  Ｐ
第２回折領域  Ｑ１、Ｑ２
検出セグメント  １１５〜１１７
位置検出セグメント  １１８、１１９
【図１】
2006059452.tif 000003
【図２】
2006059452.tif 000004
【図３】
2006059452.tif 000005
【図４】
2006059452.tif 000006
【図５】
2006059452.tif 000007
【図６】
2006059452.tif 000008
【図７】
2006059452.tif 000009
【図８】
2006059452.tif 000010
【図９】
2006059452.tif 000011
【図１０】
2006059452.tif 000012